(57)【要約】【課題】水平面内で回転可能に設けられたターンテーブル１の上面に、金型２を開閉する金型開閉機構３を備えた多数の金型鋳造装置４・４を、ターンテーブル１の周縁に沿うようにして設置した鋳造設備における金型鋳造装置において、作業者による中子セット、金型清掃、製品取出しなどの作業性が容易になるようにする。【解決手段】金型２に注湯するラドル９を、ターンテーブル１の外側位置とターンテーブル１の回転中心側位置との間を金型開閉機構４の上方位置で縦断して移動可能に配設し、ラドル９は、金型２に注湯する時にはターンテーブル１の外側位置に、また金型１から鋳造品を取り出すなどの作業を行う時にはターンテーブル１の回転中心側位置にそれぞれ移動させるようにしたことを特徴とする。【選択図】図１
2010253563.tif 000002
【特許請求の範囲】
【請求項１】
水平面内で回転可能に設けられたターンテーブルの上面に、金型を開閉する金型開閉機構を備えた多数の金型鋳造装置を、前記ターンテーブルの周縁に沿うようにして設置した鋳造設備における金型鋳造装置において、
前記金型に注湯するラドルを、前記ターンテーブルの外側位置とターンテーブルの回転中心側位置との間を前記金型開閉機構の上方位置で縦断して移動可能に配設し、
前記ラドルは、前記金型に注湯する時には前記ターンテーブルの外側位置に、また前記金型から鋳造品を取り出すなどの作業を行う時には前記ターンテーブルの回転中心側位置にそれぞれ移動させるようにしたことを特徴とする鋳造設備における金型鋳造装置。
【発明の詳細な説明】
【技術分野】
【０００１】
本発明は、鋳造設備における金型鋳造装置の改良に係り、より詳しくは水平面内で回転可能に設けられたターンテーブルの上面に、金型を開閉する金型開閉機構を備えた多数の金型鋳造装置を、前記ターンテーブルの周縁に沿うようにして設置した鋳造設備における金型鋳造装置の改良に関する。
【背景技術】
【０００２】
従来、金型に注湯して鋳造品を鋳造する金型鋳造装置の一つとして、水平割金型を金型開閉機構により開閉可能に設けかつ水平割金型に注湯するラドルを付設したものがある。
【０００３】
しかしながら、このように構成された金型鋳造装置では、通常のように作業者の位置がターンテーブルの外側に来るように金型鋳造装置を設置した場合、ラドルが作業者側の反対側であるターンテーブルの中心側に位置するため、溶解炉をターンテーブルの真ん中に配置するなど何からの対策を講ずるにしても、設備的に成り立つのが困難であり、しかも、ラドルに張った膜の処理が難しい問題があった。
【０００４】
そのため、ラドルを前記ターンテーブルの周縁側に設け、金型開閉機構を、前記水平割金型が水平状態と垂直状態の間を往復するようにして上下回動可能に設け、かつ前記水平割金型の下金型における前記ターンテーブルの周縁側にラドルを固定して、金型開閉機構および水平割金型と一緒にラドルをターンテーブルの回転中心側へ傾動させて、溶湯を金型に注入するようにした金型鋳造装置が提案されている。
【先行技術文献】
【特許文献】
【０００５】
【特許文献１】特開２００５−１１８７８３号公報
【発明の概要】
【発明が解決しようとする課題】
【０００６】
しかし、このように構成された従来の金型鋳造装置では、ラドルが常にターンテーブルの周縁側である作業者の前に位置されるため、作業者が金型から遠く離れることとなり、その結果、作業者による中子セット、金型清掃、製品取出しなどの作業性が悪くなるなどの新たな問題が生じている。
【０００７】
本発明は上記の事情に鑑みてなされたもので、その目的は、作業者による製品取出しなどの作業が容易になるようにした金型鋳造装置を提供することにある。
【課題を解決するための手段】
【０００８】
上記の目的を達成するために本発明の鋳造設備における金型鋳造装置は、水平面内で回転可能に設けられたターンテーブルの上面に、金型を開閉する金型開閉機構を備えた多数の金型鋳造装置を、前記ターンテーブルの周縁に沿うようにして設置した鋳造設備における金型鋳造装置において、前記金型に注湯するラドルを、前記ターンテーブルの外側位置とターンテーブルの回転中心側位置との間を前記金型開閉機構の上方位置で縦断して移動可能に配設し、前記ラドルは、前記金型に注湯する時には前記ターンテーブルの外側位置に、また前記金型から鋳造品を取り出すなどの作業を行う時には前記ターンテーブルの回転中心側位置にそれぞれ移動させるようにしたことを特徴とする。
【発明の効果】
【０００９】
以上の説明から明らかなように本発明は、水平面内で回転可能に設けられたターンテーブルの上面に、金型を開閉する金型開閉機構を備えた多数の金型鋳造装置を、前記ターンテーブルの周縁に沿うようにして設置した鋳造設備における金型鋳造装置において、前記金型に注湯するラドルを、前記ターンテーブルの外側位置とターンテーブルの回転中心側位置との間を前記金型開閉機構の上方位置で縦断して移動可能に配設し、前記ラドルは、前記金型に注湯する時には前記ターンテーブルの外側位置に、また前記金型から鋳造品を取り出すなどの作業を行う時には前記ターンテーブルの回転中心側位置にそれぞれ移動させるようにしたから、作業者が中子セット、金型清掃、製品取出しなどを行う時には、ラドルをターンテーブルの回転中心側位置に移動させることにより、作業者による鋳造品取出しなどの作業が非常に容易になるなどの優れた実用的効果を奏する。
【図面の簡単な説明】
【００１０】
【図１】本発明を適用した金型鋳造装置の一実施例の側面図である。
【図２】図１の正面図である。
【図３】本発明の金型鋳造装置を用いた鋳造設備の一実施例の平面図である。
【図４】図１に示す金型鋳造装置の動作について説明するための説明図である。
【発明を実施するための形態】
【００１１】
以下、本発明を適用の金型鋳造装置を用いた鋳造設備について図１〜図４に基づき詳細に説明する。図３に示すように、本鋳造設備においては、水平面内で矢印方向へ間歇的に回転可能に設けられた円板状のターンテーブル１の上面に、金型２を開閉する金型開閉機構３を備えた多数の金型鋳造装置４・４が前記ターンテーブル１の回転中心を中心にして放射状にかつターンテーブル１の周縁に沿うようにして等間隔をおいて設置してあり、さらに、前記ターンテーブル１の外側には、前記金型２に中子をセットするロボット５と、後述のラドル９に溶融金属を供給するロボット６が所要の間隔を置いてそれぞれ配設してある。
【００１２】
そして、各金型鋳造装置４は、図１および図２に示すように、前記金型開閉機構３を上下回動させる回動機構７を介して前記金型開閉機構３を保持するＵ字状の機台８と、前記金型開閉機構３の金型２に注湯するラドル９と、前記ターンテーブル１の外側位置とターンテーブル１の回転中心側位置との間を前記金型開閉機構３の上方位置で縦断して前記ラドル９を移動させるラドル移動手段１０と、このラドル移動手段１０に装着されて前記ラドル９を単独で上下回動させるラドル回動機構１１とで構成してある。
【００１３】
また、前記ラドル移動手段１０は、Ｚ字状を成し下部屈曲位置が前記金型開閉機構３に上下回動自在に枢支されて装着された左右一対のアーム１２・１２と、本体の中央部が前記金型開閉機構３に上下回動自在に枢支されて装着されかつピストンロッドの先端が前記アーム１２の下端にピン連結された横向きのシリンダ１３とで構成してあって、シリンダ１３の伸縮作動により、左右一対の前記アーム１２・１２は図１において上下回動するようになっている。
【００１４】
また、前記ラドル回動機構１１は、前記ラドル移動手段１０の一対のアーム１２・１２の先端付近間に垂直面内で回転自在にして架設されて前記ラドル９を保持する支持軸１４と、前記アーム１２の上部屈曲位置に装着された減速機付モータ１５と、一端が前記支持軸１４の先端に、また他端が前記減速機付モータ１５の出力軸にそれぞれ嵌着されて減速機付モータ１５の回転力を支持軸１４に伝動するリンク機構１６とで構成してある。
【００１５】
次に、このように構成した鋳造設備を用いて鋳造品を鋳造する手順について説明する。まず、図４−ａに示すように、金型開閉機構３およびラドル９を反時計回り方向へ所要角度傾動させたのち、ターンテーブル１の外側に位置するラドル９にロボット６により所要量の溶融金属を供給し、続いて、図４−ｂに示すように、ラドル回動機構１１の減速機付モータ１５を正転駆動してラドル９を時計回り方向へ傾動させるとともに、回動機構７の駆動により金型開閉機構３等を水平状態に戻してラドル９の溶融金属を金型２に注入し、その後、図４−ｃに示すように、ラドル移動手段１０のシリンダ１３を収縮作動して一対のアーム１２・１２を時計回り方向へ回動させ、ラドル９をターンテーブル１の回転中心側位置に移動させる。
これにより、作業者は、ラドル９に邪魔されることなく、金型２の清掃や金型２からの鋳造品取出しを行う。
【符号の説明】
【００１６】
１ ターンテーブル
２ 金型
３ 金型開閉機構
４ 金型鋳造装置
９ ラドル
【図１】
2010253563.tif 000003
【図２】
2010253563.tif 000004
【図３】
2010253563.tif 000005
【図４】
2010253563.tif 000006